(57)【要約】【課題】カード挿入保護型コネクタを提供する。【解決手段】カード挿入保護型コネクタであって、殻体内に前開口のカード挿入空間を有し、第１、第２カードのうち１つを選択して挿入させ、該カード挿入空間は、少なくとも弾性接触部を有する各第１組端子およびその後方の第２組端子を設置し、該第１、第２カードを接触する接点に対応させ、該殻体がカード挿入空間底面に前後滑動する保護隔離板を設置し、該保護隔離板上に多数のガイド孔を設けてなり、後段の一側に駆動部を凸設してなり、該第１組端子の接触部上縁には上向きに該保護隔離板のガイド孔を露出し、該第２カードは該保護隔離板上面に沿って後向きに該保護隔離板の駆動部を連動して移動させ、該第１組端子の接触部を下降させ、該ガイド孔から離し、該保護隔離板底部に収容する。【選択図】図２
0003136568.tif 000002
【実用新案登録請求の範囲】
【請求項１】
殻体内に前開口のカード挿入空間を有し、第１、第２カードのうち１つを選択して挿入させ、該カード挿入空間は、少なくとも弾性接触部を有する各第１組端子およびその後方の第２組端子を設置し、該第１、第２カードを接触する接点に対応させ、
該殻体がカード挿入空間底面に前後滑動する保護隔離板を設置し、該保護隔離板上に多数のガイド孔を設けてなり、後段の一側に駆動部を凸設してなり、該第１組端子の接触部上縁には上向きに該保護隔離板のガイド孔を露出し、該第２カードは該保護隔離板上面に沿って後向きに該保護隔離板の駆動部を連動して移動させ、該第１組端子の接触部を下降させ、該ガイド孔から離し、該保護隔離板底部に収容することを特徴とするカード挿入保護型コネクタ。
【請求項２】
前記第１カードは該保護隔離板上面に沿って間隔を取り後方に挿入され、その接点を該第１組端子に接触する接触部に対応して押さえつける請求項１記載のカード挿入保護型コネクタ。
【請求項３】
前記保護隔離板のガイド孔に前端内斜壁を設けてなり、後方に該第１組端子の接触部を押し、該保護隔離板底部に進入させる請求項１記載のカード挿入保護型コネクタ。
【請求項４】
前記保護隔離板底部に該ガイド孔に連通する延伸溝を設けてなる請求項１記載のカード挿入保護型コネクタ。
【請求項５】
前記保護隔離板の駆動部に前向きＬ形口を有し、該第２カードの対応角端を押さえつけさせる請求項１記載のカード挿入保護型コネクタ。
【請求項６】
前記カード挿入空間の一側に前後に移動する滑動部材を含むカード排出機構を設置し、該第１、第２カードを排出させ、該カード排出機構の滑動部材の一側に第１当接部および後段第２当接部を設けてなり、該第１当接部は該第１カードの対応角端を対応して押さえつけてなり、該第２当接部は該保護隔離板の駆動部後端を対応して押さえつけてなる請求項１記載のカード挿入保護型コネクタ。
【考案の詳細な説明】
【技術分野】
【０００１】
本考案は、カード挿入保護型コネクタに関し、特に、電子カードに対して使用するカード挿入保護型コネクタに関する。
【背景技術】
【０００２】
昨今の電子カードは、しばしばパソコン、電子辞書等に用いられ、メモリー、インターネットカード、デジタル機器、ＳＣＳＩ設備（大容量ディスク、スキャナー等）を拡張する。
【０００３】
電子カードはＰＣＭＣＩＡメモリーカード型式以外に、MMC（Multi Media Card）、CF（Compact Flash Card）、SMC（Smart Media（登録商標）Card）、MS（Memory Stick）、SD（Secure Digital Memory Card）メモリーカード等の規格があり、ＰＤＡ（Personal digital assistant）、電子辞書およびデジタルカメラ等の製品に応用されている。
【０００４】
現在、多くのカード共用型コネクタは多種の電子カードに対して設計され、そのうちの1種の電子カードを選択して、単独でカード挿入を行わせる。この共用型コネクタは、通常、前中後の3段の端子を設けてなり、ＸＤカード、ＳＤカード、ＭＳカードに電機接続する。このほか、このコネクタは、中段端子に対して揺動板を設置し、長厚型ＭＳカードを挿入する時、揺動板を介して中段端子を下方に推移させ、後段の端子に電気接続する。
【０００５】
但し、この揺動板はカード挿入空間を占有し、更に中段端子を常に支持する必要があり、構造の安定性に影響を及ぼす。特に、揺動板が中段端子を精確に推移することが困難であり、中段端子の傾斜部がＭＳカードの金属面を抵触して、電気的短絡を起こす。
【特許文献１】特開２００３−３１３１４号公報
【考案の開示】
【考案が解決しようとする課題】
【０００６】
本考案の目的は、ＭＳカードおよび保護隔離板が順にＳＤ端子を推移し、ＳＤ端子を保護隔離板底部に収容し、ＳＤ端子がＭＳカード金属殻面に抵触することを回避し、電気的短絡を防止し、特にこの保護隔離動作を確実に安定して行い、耐久性があり、実際の使用の需要に適合したカード挿入保護型コネクタを提供することにある。
【課題を解決するための手段】
【０００７】
上記の目的を達成するため、本考案のカード挿入保護型コネクタの殻体内に、前開口のカード挿入空間を有し、第１、第２カードのうち１つを選択して挿入させる。該カード挿入空間は、少なくとも弾性接触部を有する各第１組端子およびその後方の第２組端子を設置し、該第１、第２カードを接触する接点に対応させる。その特徴は、以下のようである。該殻体がカード挿入空間底面に前後滑動する保護隔離板を設置し、該保護隔離板上に多数のガイド孔を設けてなり、後段の一側に駆動部を凸設してなる。該第１組端子の接触部上縁には上向きに該保護隔離板のガイド孔を露出する。該第２カードは該保護隔離板上面に沿って後向きに該保護隔離板の駆動部を連動して移動させ、該第１組端子の接触部を下降させ、該ガイド孔から離し、該保護隔離板底部に収容する。
【０００８】
上記該第１カードは、該保護隔離板上面に沿って相互に間隔を取り後向へ挿入され、その接点を該第１組端子に接触する接触部に押さえつける。
【０００９】
好適な実施例中、該保護隔離板のガイド孔に前端内斜壁を設けてなり、後方へ該第１組端子の接触部を押し、該保護隔離板底部に進入させる。また、該保護隔離板底部には該ガイド孔を連通する延伸溝を設けてなる。
【００１０】
理想的な実施例中、該カード挿入空間の一側に前後に移動する滑動部材を含むカード排出機構を設置し、該第１、第２カードを排出させる。該カード排出機構の滑動部材の一側に第１当接部および後段の第２当接部を設けてなり、該第１当接部が該第１カードの対応角端に対応して押しかかり、該第２当接部が該保護隔離板の駆動部後端に対応して押しかかる。
【考案の効果】
【００１１】
本考案のカード挿入保護型コネクタはＭＳカードおよび保護隔離板が順にＳＤ端子を押すことによって、ＳＤ端子を保護隔離板底部に収容し、ＳＤ端子がＭＳカード金属殻面に接触することを避け、電気的短絡を防止し、特に、保護隔離板は確実に安定し、更に耐久性があり、実際の使用需要に適合する。
【考案を実施するための最良の形態】
【００１２】
まず、図１において、本考案のカード挿入保護型コネクタの殻体１０は絶縁ソケット１１および上蓋１２を接合して組成され、両者の間は、係止部１５および係止孔１６で嵌合固定される。図１、図２および図３のコネクタ構造中、該殻体１０は絶縁ソケット１１を上蓋１２に合わせて前開口のカード挿入空間１３を有し、その両側に軌道１４を有するよう形成し、第１カード（ＳＤカード）または第２カード（ＭＳカード）を選択して単独挿入させ、または第３カード（ＸＤカード）を選択し挿入させる。
【００１３】
図１、図２、図３および図４に示すコネクタ殻体１０構造中、該絶縁体１１はカード挿入空間１３中に第１、第２、第３組端子２１，２２，２３を設置してなり、第１カード（ＳＤカード）、第２カード（ＭＳカード）、第３カード（ＸＤカード）を対応して電機接触させる。好適な実施例中、第１組端子２１は、2段に分けてなり、第１カード（ＳＤカード）およびＭＭＣカードに適用する。同時に絶縁ソケット１１はカード挿入空間１３底面に溝１７を配列して設け、第１組端子２１の弾性傾斜状本体およびその接触部２４を上向きにカード挿入空間１３に進入させる。
【００１４】
本実施例のコネクタ絶縁ソケット１１はカード挿入空間１３底面に前後に滑動する保護隔離板４０およびカード挿入空間１３の一側に前後に移動する滑動部材３１を含むカード排出機構３０を設置し、該第１、第２、第３カードの保持または排出の制御を提供する。該カード排出機構３０の滑動部材３１の一端にコアガイド溝３２を設けてなり、連動ピン３３の活動端に組み合わせて、滑動部材３１の他端にはバネ３４を配置し、カード挿入時に後方に移動させ固定させる。再度、後方へ押されて開放した後、バネ３４の回復力によって前方へ滑動部材３１を移動させカード排出を行う。図に示すように該カード排出機構３０の滑動部材３１の一側では、中段に第１当接部３５を設置し、後段に第２当接部３６、前段に第３当接部３７を設けてなり、該第１当接部３５は該第１カード（ＳＤカード）５１の対応角端５７を対応して押さえつけ（図１２参照）、該第２当接部３６は保護隔離板４０の駆動部４２後端を対応して押さえつけ、該第３当接部３７は該第３カード（ＸＤカード）の対応角端に対応して押さえつけてなる。
【００１５】
図５、図６および図７において、該保護隔離板４０上に多数のガイド孔４１を設けてなり、後段の一側に駆動部４２を凸設してなる。該第１組端子２１の接触部２４上縁には上向きに該保護隔離板４０のガイド孔４１を露出する。好適な実施例中、該保護隔離板４０のガイド孔４１に前端内斜壁４３を設けてなり、後方に該第１組端子２１の接触部２４を押し、下向きに移動させ該保護隔離板４０底部に進入させる。更に、該保護隔離板４０底部には該ガイド孔４１に連通する延伸溝４４を設けてなり、該第１組端子２１およびその接触部２４を確実に収容することができる。該保護隔離板４０の駆動部４２は、前向きＬ形口を有し、該第２カード（ＭＳカード）５２の対応角端５８に押さえつけてなる（図１０、図１１参照）。同時に該駆動部４２は後方にカード排出機構３０の滑動部材３１を第２当接部３６に対して押させつけてなる。
【００１６】
本実施例の連接器はカード挿入空間１３底面上に該保護隔離板４０を滑動設置し、図８、図９に示すように、カード挿入を行う時、該第２カード（ＭＳカード）５２を該保護隔離板４０上面に沿って後方へ挿入し、その前縁を該第１組端子２１の接触部２４に接触させ、第２カード（ＭＳカード）５２が継続挿入され、該第１組端子２１の接触部２４を押し、円滑に下向きに該保護隔離板４０のガイド孔４１内に移動させ、その後、第２カード（ＭＳカード）５２によって後方へ該保護隔離板４０の駆動部４２を移動させ（図１１参照）、ガイド溝４１の前端内斜壁４３から該第１組端子２１の接触部２４を下降させ、該ガイド孔４１から離し、該保護隔離板４０底部に収容し（図１０参照）、該保護隔離板４０の延伸溝４４および該絶縁ソケット１１の溝１７内に進入させ、第１組端子２１の接触部２４が第２カード（ＭＳカード）５２底部金属殻面に抵触することを避け、電気的短絡を防止する。第２カード（ＭＳカード）５２の接点５５は第２組端子２２に押さえつけられて接触し、電機接続を達成する。
【００１７】
カード排出を行う時、再度第２カード（ＭＳカード）５２を押し、その後、開放し、カード排出機構３０の滑動部材３１およびその第２当接部材３６によって該保護隔離板４０を駆動し、前向きに回復移動させ、第２カード（ＭＳカード）５２を排出する。
【００１８】
図１２に示すようにカードを挿入する時、該第１カード（ＳＤカード）５１は、該保護隔離板４０上面に沿って後方へ挿入し、その施店５４を該第１組端子２１に接触する接触部２４に対応して押さえつけ、保護隔離板４０を元の位置から動かないように保持する。
【００１９】
図１３に示すようにカードを挿入する時、該第３カード（ＭＳカード）５３を該カード挿入空間１３中に挿入し、その接点５６を該第３組端子２３に対応して押さえつけ接触させ、電機接続を達成する。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２１】
【図１】本考案の好適な実施例のカード挿入保護型コネクタの立体図である。
【図２】図１のコネクタ内部の立体図である。
【図３】図２の他方向の立体図である。
【図４】図２の保護隔離板を外した立体図である。
【図５】図２の保護隔離板の立体図である。
【図６】図５の保護隔離板の底部の立体図である。
【図７】図５の断面図である。
【図８】本考案の好適な実施例の断面図である。
【図９】図８のＭＳカードの初歩段階の挿入の説明図である。
【図１０】図９に続いてＭＳカード完全に挿入した状態図である。
【図１１】図１０の俯瞰図である。
【図１２】図８のＳＤカードを完全に挿入した状態図である。
【図１３】図８のＸＤカードを完全に挿入した状態図である。
【符号の説明】
【００２２】
１０  殻体
１１ 絶縁ソケット
１２ 上蓋
１３ カード挿入空間
１４ 軌道
１５ 係止部
１６ 係止孔
１７ 溝
２１ 第１組端子
２２ 第２組端子
２３ 第３組端子
２４ 接触部
３０  カード排出機構
３１  滑動部材
３２  コアガイド溝
３３ 連動ピン
３４ バネ
３５ 第１当接部
３６ 第２当接部
３７ 第３当接部
４０ 保護隔離板
４１  ガイド孔
４２  駆動部
４３  内斜壁
４４  延伸溝
５１  第１カード（ＳＤカード）
５２  第２カード（ＭＳカード）
５３  第３カード（ＸＤカード）
５４，５５，５６  接点
５７，５８  角端
【図１】
0003136568.tif 000003
【図２】
0003136568.tif 000004
【図３】
0003136568.tif 000005
【図４】
0003136568.tif 000006
【図６】
0003136568.tif 000007
【図７】
0003136568.tif 000008
【図８】
0003136568.tif 000009
【図９】
0003136568.tif 000010
【図１０】
0003136568.tif 000011
【図１２】
0003136568.tif 000012
【図１３】
0003136568.tif 000013
【図５】
0003136568.tif 000014
【図１１】
0003136568.tif 000015